(57)【特許請求の範囲】
【請求項１】
椅子の背凭れの両側部にオプション部材を取付ける背凭れへのオプション部材の取付構造であって、
前記オプション部材より両側方に延出し、かつ背凭れの両側部を囲む平面視ほぼ内向きコ字状の取付部材における内面に、先端部が背凭れの前面と後面とのいずれか一方に当接する第１の突部と、この第１の突部より下方において、先端部が背凭れの前面と後面とのいずれか他方に当接する第２の突部とを設け、前記第２の突部の先端部を支点とする前記オプション部材の下向き荷重によるモーメントによって、前記第１の突部の先端部が背凭れの前面と後面とのいずれか一方に圧接することにより、取付部材が背凭れの両側部に係合しうるようにしたことを特徴とする椅子の背凭れへのオプション部材の取付構造。
【請求項２】
左右の取付部材を、オプション部材より両側方に延出する支持フレームの先端部に連設した請求項１記載の椅子の背凭れへのオプション部材の取付構造。
【請求項３】
取付部材の内面における第２の突部の上方に、背凭れの前面と後面とのいずれか他方に圧接する弾性付勢部材を設けた請求項１または２記載の椅子の背凭れへのオプション部材の取付構造。
【請求項４】
弾性付勢部材が圧接する背凭れの前面と後面とのいずれか他方に、上下方向を向く凹溝を設け、弾性付勢部材の先端部をこの凹溝の溝底に圧接させた請求項３記載の椅子の背凭れへのオプション部材の取付構造。
【請求項５】
第１の突部が当接する背凭れの背凭れの前面と後面とのいずれか一方に、第１の突部の先端部と係合することにより、第１の突部の下方または上方への移動を阻止するようにした凸部または凹部を設けた請求項１〜４のいずれかに記載の椅子の背凭れへのオプション部材の取付構造。
【発明の詳細な説明】
【技術分野】
【０００１】
本発明は、椅子の背凭れの両側部にオプション部材を取付ける構造に関する。
【背景技術】
【０００２】
従来の椅子には、背凭れに、衣服を掛けるためのハンガーや、ヘッドレスト等のオプション部材を取り付けたものがある(例えば特許文献１〜５参照)。
【先行技術文献】
【特許文献】
【０００３】
【特許文献１】特開２００５−２４５８６６号公報
【特許文献２】特開２００６−１１００１３号公報
【特許文献３】特許第３８０１７６９号公報
【特許文献４】特許第４１４６８９０号公報
【特許文献５】特許第４０９７１８６号公報
【発明の概要】
【発明が解決しようとする課題】
【０００４】
しかし、上述のような従来の椅子においては、オプション部材を背凭れに取り付けるための取付構造が複雑で、取付作業が面倒であり、また、オプション部材を背凭れから取り外した後に、ねじ孔等の取付構造の一部が残り、それが外部に露呈して、美観を損なう等の問題がある。
また、背凭れに対するオプション部材の高さを調節するための構造が複雑で、その作業も煩雑であり、手間が掛かるという問題もある。
【０００５】
本発明は、上記問題点に鑑みてなされたもので、背凭れに、オプション部材を、簡単な構造で、安定よく確実に取り付けることができるとともに、オプション部材の上下方向の取付位置の調整も容易であり、しかも、オプション部材を取り外した後の背凭れの外観を美麗に保つことができるようにした椅子の背凭れへのオプション部材の取付構造を提供することを目的としている。
【課題を解決するための手段】
【０００６】
本発明によると、上記課題は、次のようにして解決される。
（１）椅子の背凭れの両側部にオプション部材を取付ける椅子の背凭れへのオプション部材の取付構造において、前記オプション部材より両側方に延出し、かつ背凭れの両側部を囲む平面視ほぼ内向きコ字状の取付部材における内面に、先端部が背凭れの前面と後面とのいずれか一方に当接する第１の突部と、この第１の突部より下方において、先端部が背凭れの前面と後面とのいずれか他方に当接する第２の突部とを設け、前記第２の突部の先端部を支点とする前記オプション部材の下向き荷重によるモーメントによって、前記第１の突部の先端部が背凭れの前面と後面とのいずれか一方に圧接することにより、取付部材が背凭れの両側部に係合しうるようにする。
【０００７】
このような構成とすると、オプション部材自体の荷重によって、取付部材に、第２の突部の先端部を支点とする下向きのモーメントが働き、それによって、第１の突部の先端部が背凭れの前面と後面とのいずれか一方に圧接し、オプション部材は、安定よく、確実に背凭れの両側部に係合し、さらに、オプション部材に掛かる下向きの荷重が大となればなるほど、第１の突部の先端部の背凭れへの圧接力が大となって、オプション部材の支持強度が増すので、オプション部材を安定よく、確実に保持することができる。
また、オプション部材を軽く上方に持ち上げるだけで、上記と逆方向のモーメントが取付部材に作用し、第１の突部の先端部が、背凭れの前面または後面から離れ、オプション部材を背凭れに対して、簡単に上下動させることができ、しかも、任意の高さでオプション部材から手を離すだけで、オプション部材は、上記の原理で、その位置に、簡単に、安定よく、背凭れに保持される。
しかも、オプション部材を取り外した後に、ねじ孔等の取付構造の一部が残らないので、背凭れの外観を美麗に保つことができる。
【０００８】
（２）上記(１)項において、左右の取付部材を、オプション部材より両側方に延出する支持フレームの先端部に連設する。
【０００９】
このような構成とすると、オプション部材を、左右方向にぐらつくことなく、安定よく背凭れに保持することができる。
【００１０】
（３）上記(１)または(２)項において、取付部材の内面における第２の突部の上方に、背凭れの前面と後面とのいずれか他方に圧接する弾性付勢部材を設ける。
【００１１】
このような構成とすると、オプション部材の自重に頼ることなく、取付部材に、第２の突部の先端部を支点とする下向きのモーメントを発生させることができ、取付部材の支持の信頼性を増すことができる。
【００１２】
（４）上記(３)項において、弾性付勢部材が圧接する背凭れの前面と後面とのいずれか他方に、上下方向を向く凹溝を設け、弾性付勢部材の先端部をこの凹溝の溝底に圧接させる。
【００１３】
このような構成とすると、弾性付勢部材が凹溝内に嵌合することにより、背凭れに対する取付部材の左右方向の位置ずれやがたつきを防止することができるとともに、弾性付勢部材の変形量を大とすることができる。
【００１４】
（５）上記(１)〜(４)項のいずれかにおいて、第１の突部が当接する背凭れの背凭れの前面と後面とのいずれか一方に、第１の突部の先端部と係合することにより、第１の突部の下方または上方への移動を阻止するようにした凸部または凹部を設ける。
【００１５】
このような構成とすると、第１の突部の先端部が、凸部または凹部と係合することにより、背凭れに対する取付部材およびオプション部材の下方または上方への移動を阻止することができ、オプション部材が、振動等にずり落ちるのを防止することができる。
【発明の効果】
【００１６】
本発明によると、椅子の背凭れに、オプション部材を、簡単な構造で、安定よく確実に取り付けることができるとともに、オプション部材の上下方向の取付位置の調整も容易であり、しかも、オプション部材を取り外した後の背凭れの外観を美麗に保つことができる。
【図面の簡単な説明】
【００１７】
【図１】本発明を適用した椅子の一実施形態の側面図である。
【図２】同じく、背面図である。
【図３】同じく平面図である。
【図４】背凭れを斜め前方より見た分解斜視図である。
【図５】ハンガーを斜め前方より見た分解斜視図である。
【図６】図２のVI−VI線に沿う拡大横断平面図である。
【図７】図２のVII−VII線に沿う拡大縦断側面図である。
【図８】図２のVIII−VIII線に沿う拡大横断平面図である。
【図９】ハンガーの取付部分を斜め後方より見た分解斜視図である。
【発明を実施するための形態】
【００１８】
以下、本発明の一実施形態を、添付図面に基づいて説明する。
図１〜図３に示すように、この椅子は、先端部にキャスタ１を備える放射状をなす５本の脚杆２を有する脚体３を備えている。脚体３の中央には、ガススプリング(図示略)を備える伸縮式の脚柱４が立設されており、脚柱４の上端には、支基５の後部が固着されている。
【００１９】
支基５は、上面が開口するほぼ中空箱状をなし、上面の開口部は、着脱可能なカバー５ａにより覆われている。
【００２０】
支基５の内部には、背凭れ６を起立する方向、すなわち前方に向かって付勢する付勢手段や、支基５によって支持された座７を前方に向かって付勢する付勢手段(いずれも図示略)等が設けられているが、それらについては、本発明に直接関係しないので、図示および詳細な説明は省略する。
【００２１】
背凭れ６は、図４に示すように、中間の屈曲部同士が左右方向を向く連結板８をもって連結された側面視Ｌ字状の左右１対の背凭れ支持杆９、９により支持されている。
この背凭れ支持杆９、９の前端部は、左右方向の軸１０をもって支基５に枢着され、支基５の後端部と連結板８とに前後の端部が連結されたガススプリング１１(図１参照)の作用により、背凭れ支持杆９、９と背凭れ６とは、軸１０を中心として、前後方向に回動したり、所望の後傾角度で停止したりし得るようになっている。
【００２２】
図４に示すように、背凭れ６は、左右１対の側杆１２、１２と、両側杆１２、１２同士を連結するとともに、前後方向の厚さを両側杆１２、１２の前後方向の厚さより小とした背板１３とを備えている。
背板１３の上半部１３ａは、両側杆１２、１２の前縁寄りに、同じく下半部１３ｂは、両側杆１２、１２の後縁寄りに接合し、それらの中間には、水平の段差部(図示略)が形成されている。
この両側杆１２、１２と背板１３とは、弾性を有する硬質合成樹脂材料により一体成形するのが好ましい。
【００２３】
このように、背凭れ６を、左右１対の側杆１２、１２と、両側杆１２、１２同士を連結するとともに、前後方向の厚さを両側杆１２、１２の前後方向の厚さより小とした背板１３とを備えるものとしてあるので、後述するハンガー２１の取付部材２２、２２が装着される背凭れ６の両側部の強度が低下することなく、左右の側杆１２、１２と背板１３とを、同一材料により一体成形することができるとともに、背板１３に可撓性を持たせることもできる。
【００２４】
背板１３の上半部１３ａには、可撓性を大とするための上下方向に長い多数の長孔１４が設けられている。
また、背板１３の下半部１３ｂの前面両側部には、剛性を高めるための多数のリブ１５が設けられている。
【００２５】
背凭れ６は、背板１３の下半部１３ｂの前面における左右のリブ１５、１５の間に、左右の背凭れ支持杆９、９の上端部を差し込み、かつ図示を省略した取付部材をもって、連結板８を背板１３の下半部１３ｂに固着し、それらの前面を、背板１３の下半部１３ｂとほぼ同形をなす前覆い板１６をもって、その前面が背板１３の上半部１３ａの前面と整合するようにして覆った状態で、背凭れ支持杆９、９に支持されている。
さらに、前覆い板１６の前面と、背板１３の上半部１３ａの前面と、背板１３の上半部１３ａの後面とは、二つ折りとしたクッション材１７により覆われている。
【００２６】
背凭れ６における左右の側杆１２、１２の前後両面には、後方および前方に向かって凹入する上下方向を向く前後１対の凹溝１８、１９が、互いに前後方向に整合させて設けられ、この凹溝１８、１９が設けられた部分の各側杆１２の水平断面は、図６に示すように、ほぼＨ字状をなしている。
【００２７】
各側杆１２における前後の凹溝１８、１９の上端および下端は、閉塞片１８ａ、１８ｂ、１９ａ、１９ｂにより閉塞されており、それによって、後述する取付部材２２、２２が、背凭れ６の上方または下方に脱落するのを防止しうるようにしてある。
なお、上下の閉塞片１８ａ、１８ｂ、１９ａ、１９ｂのいずれか一方を省略することにより、凹溝１８、１９の上端および下端のいずれか一方を、上方または下方に開放しておいてもよい。
【００２８】
前方の凹溝１８の内底面には、図７に示すように、上端面が水平をなす側面視三角形の複数の凸部２０が、上下方向に適宜の間隔をもって設けられている。
なお、この凸部２０に代えて、下端面が水平をなす側面視三角形の複数の凹部(図示略)としてもよい。
【００２９】
左右の側杆１２、１２に設けた前後の凹溝１８、１９には、図５に示すようなオプション部材である、衣服を掛けるためのハンガー２１の両側部に設けた取付部材２２、２２の一部を係合することにより、ハンガー２１は、背凭れ６の背面側に取付けられている。
【００３０】
ハンガー２１における各取付部材２２は、ハンガー２１の両側端から外側方に延出し、背凭れ６の側端部を背面側から前面側にかけて囲む包囲片２３と、この包囲片２３の後方の内隅部に、ボルト・ナット２５ｄをもって、着脱可能として固着された弾性部材２５とを備えている。
【００３１】
各側杆１２の前面に回り込んだ各包囲片２３の先端の上部には、後方を向き、かつ下端が水平をなす側面視三角形の係合爪(第１の凸部)２４が設けられており、この係合爪２４は、側杆１２の前面の凹溝１８に嵌合し、凹溝１８内に設けた複数の凸部２０と選択的に係合して、ハンガー２１を複数の高さにおいて背凭れ６に係止しうるようになっている。
【００３２】
図７〜図９に示すように、弾性部材２５は、ボルト・ナット２５ｄをもって包囲片２３に固着された取付部２５ａと、この取付部２５ａから前上方に延出し、各側杆１２の前面の凹溝１９に嵌合して、その溝底面に圧接する弾性舌片２５ｂと、取付部２５ａから前下方に延出し、前端が各側杆１２の後面における凹溝１９の側縁に当接する当接片(第２の凸部)２５ｃとを備えている。
【００３３】
弾性部材２５における当接片２５ｃの前端は、各側杆１２の後面における凹溝１９の側縁に当接し、かつ弾性舌片２５ｂが、側杆１２の前面の凹溝１９に嵌合して、その溝底面に圧接することにより、係合爪２４を、側杆１２の前面における凹溝１８の溝底面に圧接するように付勢し、この係合爪２４と、弾性部材２５における弾性舌片２５ｂおよび当接片２５ｃとにより、各側杆１２を前後から挾圧把持し、さらに、係合爪２４の下縁が、凹溝１８内の複数の凸部２０のいずれかの上面に当接して係合することにより、左右の取付部材２２、２２は、左右の側杆１２、１２に、簡単に下降することのないように、強固に係合し、ハンガー２１を安定よく、強力に支持している。
【００３４】
ハンガー２１の取り付け位置を上下方向に調節したい場合は、弾性舌片２５ｂを弾性変形させつつ、その付勢力に抗して、ハンガー２１を、図７に２点鎖線で示すように、その下端部を支点として、前方に回動させるか、または前方に押動する。
すると、係合爪２４が、当接片２５ｃの前下端か、または包囲片２３の前部の下端内縁を支点として、前方に回動させられて、凸部２０から前方に離脱する。
この状態で、ハンガー２１全体を上方または下方に移動し、係合爪２４を、上下いずれかの別の凸部２０に係合させればよい。
【００３５】
なお、ハンガー２１を下方に移動させる際に、ハンガー２１を元の後傾姿勢に戻しつつ下降させれば、係合爪２４は、下方の凸部２０に自然に係合する。
ハンガー２１を上方に移動させる際には、ハンガー２１を元の後傾姿勢に戻しつつ上昇させても、係合爪２４は、上方の凸部２０における前上方に傾斜する下縁に乗り上がって、一旦前方に押動された後、その凸部２０の上面に係合することができる。
【００３６】
ハンガー２１は、この例では、背凭れ６の左右の両側部に上記のようにして装着した上記の１対の取付部材２２、２２と、両取付部材２２、２２から、背凭れ６の背面側において互いに内方に向かって延出する１対の支持フレーム２６、２６と、両支持フレーム２６、２６の内端より上方に向かって互いに外側方に拡開するように延出する１対の傾斜起立フレーム２７、２７と、両傾斜起立フレーム２７、２７の上端部に各端部が連設された左右方向を向く上部フレーム２８とを備えるものとし、少なくとも、上記傾斜起立フレーム２７、２７と上部フレーム２８とを、弾性変形可能な材料により形成してある。
【００３７】
また、上部フレーム２８より下方において、左右方向を向く補助フレーム２９の両端部を、左右の傾斜起立フレーム２７、２７に連設してある。
この例では、上部フレーム２８を、上向きの円弧状に湾曲させ、また、補助フレーム２９を、背面視において、下向きの円弧状に湾曲させ、上部フレーム２８と補助フレーム２９との左右の両端部同士を、左右の傾斜起立フレーム２７、２７の上端部に、互いに結合しうるようにして連設してある。
【００３８】
さらに、補助フレーム２９の中央部は、上部フレーム２８の中央部より前方に位置させてある。
【００３９】
ハンガー２１は、取付部材２２、２２における包囲片２３、２３と、支持フレーム２６、２６と、傾斜起立フレーム２７、２７と、上部フレーム２８と、補助フレーム２９とを、硬質合成樹脂材料により一体成形し、弾性部材２５、２５だけ別材料により形成して、これをボルト・ナット２５ｄをもって包囲片２３、２３に取り付けるようにするのが好ましい。
【００４０】
このハンガー２１は、取付部材２２、２２を、背凭れ６の左右の両側部に装着してあるので、応力が中央に集中することなく、左右に分散され、従ってハンガー２１自体が左右にぐらつくことなく、衣服等を安定よく支持することができるとともに、左右の取付部材２２、２２を小型化することができる。
【００４１】
また、ハンガー２１を背凭れ６に装着したときの背面形状は、２個のＺ字を向き合わせて結合したようなユニークな形状を呈しているので、体裁がよく、しかもハンガー２１を装着しているときだけでなく、ハンガー２１を取り外した後にも、ねじ孔等が背凭れ６に残存することがないので体裁がよい。
【００４２】
さらに、少なくとも、傾斜起立フレーム２７、２７と上部フレーム２８とを、弾性変形可能な材料により形成したことにより、上部フレーム２８に衣服等の荷重がかかった際に、傾斜起立フレーム２７、２７と上部フレーム２８とが弾性変形して、左右の支持フレーム２６、２６が取付部材２２、２２を支点として、具体的には、弾性部材２５における当接片２５ｃの先端が側杆１２の後面に当接している部分を支点として、下向きに回動しようとするモーメントが働き、そのモーメントにより、取付部材２２、２２が背凭れ６の両側部に強く係合し、取付部材２２、２２と背凭れ６との結合強度が増すという利点もある。
【００４３】
上部フレーム２８は、上向きの円弧状に湾曲されているので、上方からの荷重に対して撓みやすくなり、応力を分散できる。
【００４４】
また、補助フレーム２９は、下向きの円弧状に湾曲されているので、この補助フレーム２９に、ネクタイ、マフラー、ストールといった衣服の付属品等を掛けておくことができ、利便性が増すだけでなく、補助フレーム２９に掛けた衣服の付属品等が、補助フレーム２９の中央部に寄るため、上部フレーム２８に上着が掛けられている状態においても、それらを取り出し易くなる。
【００４５】
しかも、補助フレーム２９は、その中央部を、上部フレーム２８の中央部より前方に位置させてあるので、上部フレーム２８に上着が掛けられている状態においても、補助フレーム２９に、衣服の付属品等を、容易に掛けたり取り出したりすることができる。
【００４６】
左右の取付部材２２を、背凭れ６の両側部に、上下方向の取付け位置調節可能として装着してあるので、ハンガー２１を使用しないときは、上部フレーム２８が背凭れ６の上端と等高か、またはそれより下位の下降位置に位置させておくことにより、ハンガー２１が邪魔にならず、また、ハンガー２１を使用する際には、上部フレーム２８が背凭れ６の上端より上方となる上昇位置に位置させることにより、衣服等をハンガー２１に掛け易く、衣服等の下端が床に付かないようにすることができる。
【００４７】
図示の例では、支基５の両側面に、左右１対の肘掛け３０、３０を取り付けてあるが、この肘掛けの後端に、上記取付部材２２を前後反転させたものと同様のものを取り付け、それを各側杆１２に、上記の場合と前後逆の関係で取り付けて、各肘掛けを、背凭れ６の両側部に、高さ調節可能として装着することもできる。
【００４８】
このように、オプション部材としては、上記ハンガー２１および肘掛けの他に、ヘッドレスト、ランバーサポート等とすることができ、それらのいずれか１個または複数個の両側部に設けた取付部材２２、２２の一部を、背凭れ６の左右両側部の前後いずれかの面に設けた凹溝１８、１９に係合させて、背凭れ６に取り付けることにより、それらのオプション部材を、簡単な構造で、安定よく確実に背凭れ６に取り付けることができるとともに、オプション部材を、凹溝１８、１９に沿うどのような位置(高さ)においても、同様の構造をもって取り付けることができる。したがって、オプション部材の上下方向の取付位置の調整が容易である。
また、オプション部材を取り外した後に、ねじ孔等の取付構造の一部が残らないので、背凭れの外観を美麗に保つことができる。
さらに、機能の異なる種々のオプション部材を、単独で、または複数個を組み合わせて、背凭れに装着することにより、椅子を多様化することができる。
【００４９】
本発明は、上記実施形態のみに限定されるものではなく、例えば以下のような幾多の変形した態様での実施が可能である。
(１)  オプション部材を肘掛けや補助テーブル等として、背凭れ６の前面側に、上記の実施形態における取付部材２２と前後対称の構造とした取付部材をもって取付ける。
【００５０】
(２)  側杆１２における前後の凹溝１８、１９のうちのいずれか一方または両方を省略して実施する。この場合、背凭れの両側杆１２、１２の外側面に、取付部材２２が当接することにより、オプション部材は、背凭れに対して左右方向に位置決めされる。
【００５１】
(３)  オプション部材としては、上記の実施形態のようなハンガー２１だけではなく、肘掛け、補助テーブル、ヘッドレスト等とすることができる。
【００５２】
(４)  各側杆１２の前面に回り込んだ各包囲片２３の後上縁の角部を第１の凸部とし、これを背凭れ６の前面に圧接させるか、または背凭れ６の前面に設けた凹部に係合させる。
【００５３】
(５)  凸部２０を省略し、係合爪２４が凹溝１８内に嵌合して、凹溝１８の溝底面に当接し、係合爪２４と、弾性部材２５における弾性舌片２５ｂおよび当接片２５ｃとにより、各側杆１２を前後から挾圧把持するだけで、ハンガー２１を支持するようにする。
または、凸部２０に代えて、凹溝１８の溝底面に凹部を設け、これに係合爪２４の先端部が係脱しうるようにする。
【符号の説明】
【００５４】
１  キャスタ
２  脚杆
３  脚体
４  脚柱
５  支基
５ａカバー
６  背凭れ
６ａ背板
６ｂクッション体
６ｃ表皮材
７  座
８  連結板
９  背凭れ支持杆
１０  軸
１１  ガススプリング
１２  側杆
１３  背板
１３ａ上半部
１３ｂ下半部
１４  長孔
１５  リブ
１６  前覆い板
１７  クッション材
１８、１９  凹溝
１８ａ、１８ｂ、１９ａ、１９ｂ  閉塞片
２０  凸部
２１  ハンガー(オプション部材)
２２  取付部材
２３  包囲片
２４  係合爪(第１の凸部)
２５  弾性部材
２５ａ取付部
２５ｂ弾性舌片
２５ｃ当接片(第２の凸部)
２６  支持フレーム
２７  傾斜起立フレーム
２８  上部フレーム
２９  補助フレーム
３０  肘掛け
【図１】
0005475405.tif 000002
【図２】
0005475405.tif 000003
【図３】
0005475405.tif 000004
【図４】
0005475405.tif 000005
【図５】
0005475405.tif 000006
【図６】
0005475405.tif 000007
【図７】
0005475405.tif 000008
【図８】
0005475405.tif 000009
【図９】
0005475405.tif 000010